(57)【要約】【課題】  掃除用スポンジ等の水分を多く含む物品に対しても、水分を充分に滴下させることができ、かつ使用者に対して露出させることなく、安全に収納することができる浴室用カウンターを提供することにある。【解決手段】  浴室等の壁１０に設置された回動具６と、後端が回動具６の上下方向に回動自在に取り付けられた載置部２と、載置部２の前端から下方へ垂れるエプロン部３とを有するカウンターと、壁１０に取り付けられて載置部２を支持するためのカウンター支持具４とを備えてなる浴室用カウンター１であって、カウンター支持具４にフック８が備えられてなるようにする。【選択図】図１
2006149801.tif 000002
【特許請求の範囲】
【請求項１】
浴室等の壁面付近に設置される回動具と、
後端が前記回動具の上下方向に回動自在に取り付けられた載置部と、載置部の前端から下方へ垂れるエプロン部とを有するカウンターと、
壁面に取り付けられて前記載置部を支持するカウンター支持具とを備えてなる浴室用カウンターであって、
前記カウンター支持具にフックが備えられてなることを特徴とする浴室用カウンター。
【請求項２】
前記回動具が前記カウンター支持具の上方に設けられてなることを特徴とする請求項１記載の浴室用カウンター。
【発明の詳細な説明】
【技術分野】
【０００１】
本発明は、浴室等の壁面に設置される浴室用カウンターに関するものである。
【背景技術】
【０００２】
従来より、浴室の壁面に沿って設置され、シャンプー等の物品を載置することができる浴室用カウンターが知られている（例えば、特許文献１）。
【０００３】
また、図３（ａ）に示すように、壁１０にネジ３２を用いて固定される物品収納棚３０が知られている。このような物品収納棚３０は、底部に孔３１が設けられており、掃除用のスポンジ２０等を載置した場合に水分を孔３１から滴下させるようにしている。
【０００４】
また、図３（ｂ）に示すように、ネジのヘッド部がＬ字状に形成され、壁１０に固定されてスポンジ２０等を引っ掛けておくことができるフック４０等も知られている。
【特許文献１】特開平６−２６１８３８号公報
【発明の開示】
【発明が解決しようとする課題】
【０００５】
しかしながら、上記従来の浴室用カウンター、物品収納棚３０及びフック４０においては、物品を載置したりあるいは引っ掛けておいたりした場合に、物品が常に露出した状態となるものであり、例えば掃除用スポンジ等を露出させておくことは外観上好ましいものではなかった。
【０００６】
また、掃除用スポンジ等の水分を多く含む物品については、たとえ載置部に水切り部が形成されていたり、あるいは上記のような孔３１が形成されていたりしたとしても、水分が充分に滴下しないことがあり、これによりカビの発生等につながるおそれがあった。
【０００７】
また、フック４０については、水分を充分に滴下させることは可能であるが、Ｌ字状の引っ掛け部が露出しているため、使用者の身体が接触して怪我をしてしまうおそれがあった。
【０００８】
本発明は、かかる事由に鑑みてなしたもので、その目的とするところは、掃除用スポンジ等の水分を多く含む物品に対しても、水分を充分に滴下させることができ、かつ使用者に対して露出させることなく、安全に収納することができる浴室用カウンターを提供することにある。
【課題を解決するための手段】
【０００９】
上記課題を解決するために、本発明では、第１に、浴室等の壁面付近に設置される回動具と、後端が前記回動具の上下方向に回動自在に取り付けられた載置部と、載置部の前端から下方へ垂れるエプロン部とを有するカウンターと、壁面に取り付けられて前記載置部を支持するカウンター支持具とを備えてなる浴室用カウンターであって、前記カウンター支持具にフックが備えられてなる。
【００１０】
第２に、前記回動具が前記カウンター支持具の上方に設けられてなる。
【発明の効果】
【００１１】
上記本発明の第１の浴室用カウンターにおいては、掃除用スポンジ等の水分を多く含む物品に対しても水分を充分に滴下させることができ、かつ使用者に対して露出させることなく収納することができるので、衛生面上優れているのみならず、外観良く物品を収納することができる。
【００１２】
また、フックがカウンターによってカバーされているので、使用者の身体がフックに接触して怪我をしてしまうおそれがなく、安全面においても優れている。
【００１３】
上記本発明の第２の浴室用カウンターにおいては、前記回動具が前記カウンター支持具の上方に設けられてなるので、カウンターとカウンター支持具が回動具を介して一体となり、その結果、施工時にカウンターとカウンター支持具との位置合わせを行う必要がなく、施工を容易にすることができる。
【発明を実施するための最良の形態】
【００１４】
本発明の実施形態における浴室用カウンター１について、図１、２に基づいて説明する。
【００１５】
本実施形態における浴室用カウンター１は、図１（ａ）に示すように、浴室の壁１０付近に設置された回動具６と、後端が回動具６の上下方向に回動自在に取り付けられた載置部２と、載置部２の前端から下方へ垂れるエプロン部３とを有するカウンター７と、壁１０にネジ５により取り付けられて載置部２を支持するためのカウンター支持具４とを備えている。
【００１６】
ここで、回動具６はカウンター支持具４の上方に設けられており、カウンター７とカウンター支持具４とは、回動具６を介して一体となっている。
【００１７】
また、カウンター支持具４は、壁１０から突出した部分の断面がＬ字状に形成されており、この部分がフック８として使用できるようになっている。すなわち、カウンター支持具４はフック８としての機能も兼ね備えており、物品２０を引っ掛けて収納しておくことができるようになっている。
【００１８】
本実施形態においては、物品２０として掃除用スポンジを例示しており、このような水分を多く含む物品２０を、カウンター支持具４のフック８に引っ掛けて収納しておくことにより、物品２０が含有する水分を収納した状態で滴下させることができる。
【００１９】
カウンター７の載置部２の下面はカウンター支持具４に当接して載置部２が略水平な状態となるように支持されている。
【００２０】
そして、カウンター７によって物品２０が露出しないようになっている。
【００２１】
なお、カウンター７の載置部２の上面には、その他の物品を載置することも可能であり、また、エプロン部３の前面側には、鏡等（図示せず）を設置することも可能である。
【００２２】
ここで、図１（ｂ）に示すように、カウンター７は回動具６により上下方向に回動自在となっており、カウンター７を上方に持ち上げた状態で物品２０を出し入れすることができるようになっている。
【００２３】
なお、本実施形態においては、ネジ５の取り付け位置をカウンター支持具４の下方としているが、これに限定されるものではなく、例えば、カウンター支持具４の壁１０と接する部分を載置部２の上方へ延設し、延設した部分にネジ５を取り付けてもよい。
【００２４】
また、本実施形態においては、カウンター７とカウンター支持具４とは、回動具６を介して一体としているが、これに限定されるものではなく、カウンター７とカウンター支持具４とを別体としてもよい。
【００２５】
また、図２（ａ）に示すように、カウンター支持具４を左右に複数並べて設置してもよい。この場合は、各カウンター支持具４がそれぞれフック８となり、複数の物品２０を収納することができるようになる。
【００２６】
また、図２（ｂ）に示すように、左右方向に長尺な形状のカウンター支持具４を用い、カウンター支持具４の左右方向にフック８を複数設けてもよい。
【００２７】
さらに、図２（ｃ）に示すように、カウンター支持具４の先端部４ａを壁１０側に折り曲げておくことにより、安全性をより高めることができるとともに、物品２０を引っ掛けた際に外れにくくすることができる。
【００２８】
以上のように、本実施形態における浴室用カウンター１は、掃除用スポンジ等の水分を多く含む物品２０に対しても水分を充分に滴下させることができ、かつ使用者に対して露出させることなく収納することができるので、衛生面上優れているのみならず、外観良く物品２０を収納することができる。
【００２９】
また、フック８がカウンター７によってカバーされているので、使用者の身体がフック８に接触して怪我をしてしまうおそれがなく、安全面においても優れている。
【００３０】
また、回動具６がカウンター支持具４の上方に設けられてなるので、カウンター７とカウンター支持具４が回動具６を介して一体となり、その結果、施工時にカウンター７とカウンター支持具４との位置合わせを行う必要がなく、施工を容易にすることができる。
【図面の簡単な説明】
【００３１】
【図１】本発明の実施形態における、（ａ）浴室用カウンター１に物品２０が収納された状態を説明する断面図である。（ｂ）浴室用カウンター１に物品２０を出し入れする方法を説明する断面図である。
【図２】同実施形態におけるカウンター支持具４を説明するための、（ａ）（ｂ）は断面図、（ｃ）は断面図である。
【図３】従来の浴室における収納方法を説明する断面図である。
【符号の説明】
【００３２】
１  浴室用カウンター
２  載置部
３  エプロン部
４  カウンター支持具
６  回動具
７  カウンター
８  フック
【図１】
2006149801.tif 000003
【図２】
2006149801.tif 000004
【図３】
2006149801.tif 000005